(57)【要約】      （修正有）【課題】送風方向の微調整が可能であり、かつ、埃等の排出を抑制することが可能な首掛け型ファンを提供する。【解決手段】首に掛ける首掛け部２と、首掛け部２及び／又は首掛け部２の両先端部に送風部３を有し、首掛け部２又は送風部３の少なくともいずれかに吸気口３１又は送風口３２が設けられた首掛け型ファン１であって、吸気口３１又は送風口３２の少なくともいずれかに、風向を変更するための可動フィン３４が設けられている。【選択図】図１
0003231697.tif 000002
【実用新案登録請求の範囲】
【請求項１】
首に掛ける首掛け部と、前記首掛け部及び／又は前記首掛け部の両先端部に送風部を有し、前記首掛け部又は送風部の少なくともいずれかに吸気口又は送風口が設けられた首掛け型ファンであって、
前記吸気口又は送風口の少なくともいずれかに、風向を変更するための可動フィンが設けられていることを特徴とする首掛け型ファン。
【請求項２】
首に掛ける首掛け部と、前記首掛け部及び／又は前記首掛け部の両先端部に送風部を有し、前記首掛け部又は送風部の少なくともいずれかに吸気口又は送風口が設けられた首掛け型ファンであって、
前記吸気口又は送風口の少なくともいずれかに、フィルターが設けられていることを特徴とする首掛け型ファン。
【請求項３】
前記首掛け部又は送風部に電源装置が内設されていることを特徴とする請求項１又は２に記載の首掛け型ファン。
【考案の詳細な説明】
【技術分野】
【０００１】  本考案は首掛け型ファンに関するものである。
【背景技術】
【０００２】  これまでに、首に掛ける首掛け部と、この首掛け部に設けられる送風部とを有する首掛け型ファンが知られている。このような首掛け型ファンとしては、例えば、特許文献１に挙げるようなものがある。【０００３】  特許文献１の首掛け型ファンは、ファンを有する送風部が、首掛け部の先端部に延長して突出するように設けられている。また、首掛け部の先端部と送風部との間には、角度調節部となる角度調節部が設けられており、首掛け部に対して送風部の向きを調節することができる構造となっている。【０００４】  一方、首掛け型ファンによる風は、通常顎から首元に向けられて送風されるが、風の当たる位置は人の顔のかたちや着ている服等により変わるものである。しかしながら、上記従来の首掛け型ファンの構造では、大まかな風向の変更はできるものの、微妙な風向調整はできるものではなかった。【０００５】  また、吸気された空気はファンにより強制的に送風口から排出されるが、吸気された空気に混ざった塵や埃、毛、服の繊維辺等も送風口から排気されることになり、健康上望ましくない場合があった。
【先行技術文献】
【特許文献】
【０００６】
【特許文献１】実用新案登録第３２２５３１８号
【考案の概要】
【考案が解決しようとする課題】  本考案は、以上のとおりの事情に鑑みてなされたものであり、送風方向の微調整が可能であり、かつ、埃等の排出を抑制することが可能な首掛け型ファンを提供することを課題としている。
【課題を解決するための手段】
【０００７】  即ち、本考案の首掛け型ファンは以下のことを特徴としている。
第１に、本考案の首掛け型ファンは、首に掛ける首掛け部と、前記首掛け部及び／又は前記首掛け部の両先端部に送風部を有し、前記首掛け部又は送風部の少なくともいずれかに吸気口又は送風口が設けられた首掛け型ファンであって、前記吸気口又は送風口の少なくともいずれかに、風向を変更するための可動フィンが設けられていることを特徴とする。
第２に、本考案の首掛け型ファンは、首に掛ける首掛け部と、前記首掛け部及び／又は前記首掛け部の両先端部に送風部を有し、前記首掛け部又は送風部の少なくともいずれかに吸気口又は送風口が設けられた首掛け型ファンであって、前記吸気口又は送風口の少なくともいずれかに、フィルターが設けられていることを特徴とする。
第３に、上記第１又は第２の考案の首掛け型ファンにおいて、前記首掛け部又は送風部に電源装置が内設されていることが好ましく考慮される。
【考案の効果】
【０００８】  本考案に係る首掛け型ファンによれば、微妙な送風方向の調整が可能であり、かつ、埃等の排出を抑制することが可能な首掛け型ファンを提供することができる。
【図面の簡単な説明】
【０００９】
【図１】本考案の首掛け型ファンの一実施形態を示す全体斜視図である。
【図２】本考案の首掛け型ファンの全体図であり、（Ａ）は正面図、（Ｂ）は右側面図である。
【図３】本考案の首掛け型ファンの送風部の構造を示す分解斜視図である。
【考案を実施するための形態】
【００１０】  本考案の実施形態について図面を用いて詳細に説明する。図１は本考案の首掛け型ファンの一実施形態を示す概略図であり、図２（Ａ）は正面図、図２（Ｂ）は右側面図である。また、図３は、本考案の首掛け型ファンの他の実施形態を示す概略図である。
【００１１】  図１、図２に示す実施形態の首掛け型ファン１は、首に掛ける首掛け部２と、首掛け部２及び／又は首掛け部２の両先端部に送風部３を有し、首掛け部２又は送風部３の少なくともいずれかに吸気口３１又は送風口３２が設けられた首掛け型ファン１である。そして、吸気口３１又は送風口３２の少なくともいずれかに、風向を変更するための可動フィン３４が設けられている。
【００１２】  首掛け部２は、首に掛けて首周りを覆うように構成された逆Ｕ字状の形状を有している。首掛け部２は、使用者の首に掛けた際に首の後側に配置される後側部２１と、後側部２１の両端部から使用者の首の左右前方に向かって延びる前側部２２とを有している。
【００１３】  送風部３は、首掛け部２の両前側部２２の先端部に形成されている。送風部３の形成は、首掛け部２の前側部２２に一体に形成されていてもよく、角度調節部を介して接続されて形成されていてもよい。
【００１４】  送風部３は、筐体内にファン３３と該ファン３３を回転させるモーターを備えている。ファン３３は、送風が可能であれば特に限定されるものではなく、通常公知のプロペラ型のファンや図３に示すようなシロッコファンを採用することができる。
【００１５】  また、送風部３は、首掛け部２内又は送風部３内に設けられる電源部からの供給電力によってファン３３が回転することにより送風が可能となっている。すなわち、本実施形態において送風部３は扇風機として機能する。
【００１６】  また、本考案の首掛け型ファン１においては、吸気口３１又は送風口３２の少なくともいずれかに、風向を変更するための可動フィン３４が設けられている。可動フィン３４は、短冊状の薄板が複数枚配列されて構成されており、これらを所望の角度に設定することにより、吸気又は排気する空気の向きを微細に変更することが可能となる。特に、送風口３２に可動フィン３４を設けることにより、使用者の顔や首元の所望の位置に風向を設定することができる。
可動フィン３４の角度変更機構は特に限定されないが、複数枚のフィンを並列に接続する接続部材を設けて、該接続部材を操作することにより、複数のフィンの角度を同時に微調整可能な機構を採用することが好ましい。
【００１７】  また、本考案の首掛け型ファン１においては、吸気口３１又は送風口３２の少なくともいずれかに、フィルター３５が設けられている。フィルター３５は、吸気口３１又は送風口３２の少なくともいずれかにの内側に、吸気された空気に混ざった塵や埃、毛、服の繊維辺等を絡め取るために設けられるものであり、フィルター３５を設けることにより、適切に清浄された空気を送風口３２から送風することが可能となる。
フィルター３５は吸気量及び送風量を阻害しない通気性を有するものであれば限定されることはなく、また、固定されていても交換可能に配設されていてもよい。
【００１８】  さらに、本考案の首掛け型ファン１においては、首掛け部２又は送風部３に電源装置が内設されている。電源装置には、一次電池、二次電池を用いることができるが、充電して使用が可能な二次電池を好適に用いることができる。二次電池としては、リチウムイオン電池を好適に用いることができる。また、電源装置は、ファン３３のオン／オフや風量調整等の制御を行う制御部４を含む。
【００１９】  本考案に係る首掛け型ファン１によれば、微妙な送風方向の調整が可能であり、かつ、埃等の排出を抑制することが可能な首掛け型ファン１を提供することができる。
【００２０】  以上、本考案の実施形態について説明したが、本考案の適用は上記実施形態に限定されるものではなく、本考案の効果を阻害ない範囲において構成の変更が可能である。
【００２１】  図１、図２に示す実施形態の首掛け型ファン１では、送風部３の送風口３２は、首掛け部２と該首掛け部２の先端に設けられているが、仕様に応じて何れか一方のみに設けてるようにしてもよい。
【００２２】  また、例えば、上記実施形態において用いるフィルター３５は、塵や埃、毛、服の繊維辺等を除去可能なフィルターとして説明したが、抗菌、抗ウイルス効果を有するフィルターを用いることもできる。また、フィルターに香料を染み込ませることにより、微香を有する風を送風することも可能となる。
【符号の説明】
【００２３】    １  首掛け型ファン
２  首掛け部
２１  後側部
２２  前側部
３  送風部
３１  吸気口
３２  送風口
３３  ファン
３４  可動フィン
３５  フィルター
４  制御部
【図１】
0003231697.tif 000003
【図２】
0003231697.tif 000004
【図３】
0003231697.tif 000005